【手続補正書】
【提出日】平成17年3月28日(2005.3.28)
【手続補正１】
【補正対象書類名】明細書
【補正対象項目名】特許請求の範囲
【補正方法】変更
【補正の内容】
【特許請求の範囲】
【請求項１】
ディスクシステムであって、
入力／出力（Ｉ／Ｏ）ポートと、複数のディスク・ドライブ・ユニットをそれぞれ有するディスク・グループと、前記Ｉ／Ｏポートと機能的に結合され、ホストシステムからＩ／Ｏ要求を受け取るディスクコントローラと、を備え、
前記ディスク・グループは、複数の論理ボリュームを構成し、前記論理ボリュームのうち一の論理ボリュームをプライマリ・ボリュームとし、ほかの１ないしは複数の論理ボリュームをセカンダリ・ボリュームとし、
前記ディスクコントローラは、前記プライマリ・ボリュームに対してデータの読み出しおよび書き込みを行い、前記データを１ないしは複数の前記セカンダリ・ボリュームにコピーし、使用不可能になったディスク・グループを検出し、使用不可能なディスク・グループが前記プライマリ・ボリュームを含むか否かを判断し、プライマリ・ボリュームを含む場合には、使用可能なディスク・グループ内にある、前記セカンダリ・ボリュームのうちの１つを置換ボリュームとして選択することを特徴とするディスクシステム。
【請求項２】
請求項１記載のディスクシステムであって、
前記ディスクコントローラは、前記論理ボリュームのそれぞれがいずれのディスク・グループに属するかを示す第１のテーブル、および各ディスク・グループの使用可能性を示す第２のテーブルを格納するメモリを含むことを特徴とするディスクシステム。
【請求項３】
請求項１記載のディスクシステムであって、使用不可能になったディスク・グループを検出するディテクタをさらに備えることを特徴とするディスクシステム。
【請求項４】
請求項１記載のディスクシステムであって、各ディスク・グループは、ＲＡＩＤレベル１に従って構成されていることを特徴とするディスクシステム。
【請求項５】
請求項１記載のディスクシステムであって、各ディスク・グループは、ＲＡＩＤレベル５に従って構成されていることを特徴とするディスクシステム。
【請求項６】
請求項１記載のディスクシステムであって、各ディスク・グループは、ＲＡＩＤレベル１、２、３、４、および５のうちのいずれかに従って構成されていることを特徴とするディスクシステム。
【請求項７】
複数の入力／出力（Ｉ／Ｏ）ポートと、前記Ｉ／Ｏポートとデータ通信を行うデータ・プロセッシング・ユニットと、
それぞれが複数のディスク・ドライブを包含し、複数の論理ボリュームを構成する複数のディスク・グループと、
前記論理ボリュームのうち一の論理ボリュームがプライマリ・ボリュームで、他の前記論理ボリュームが複数のセカンダリ・ボリュームになるとする複数の論理ボリュームを識別するべく構成された第１のメモリと、
前記ディスク・グループのそれぞれの使用可能ステータスを示すべく構成された第２のメモリと、
前記ディスク・グループにアクセスし、前記プライマリ・ボリュームならびに前記セカンダリ・ボリュームに対してデータを書き込むための、前記データ・プロセッシング・ユニットによって実行可能な第１のプログラム・コードを収めるべく構成された第３のメモリと、
前記プライマリ・ボリュームが属する前記ディスク・グループが使用不可能ステータスを有することが、前記第１および第２のメモリを調べることによって検出されると、前記セカンダリ・ボリュームの１つをバックアップ・プライマリ・ボリュームとして選択するための、前記データ・プロセッシング・ユニットによって実行可能な第２のプログラム・コードを収めるべく構成された第４のメモリと、を備えることを特徴とするディスクシステム。
【請求項８】
請求項７記載のディスクシステムであって、
前記第１および第２のメモリは、単一のメモリ・ストア内に含まれることを特徴とするディスクシステム。
【請求項９】
請求項７記載のディスクシステムであって、前記第１のプログラム・コードは、ＲＡＩＤレベル３またはレベル５の定義に従って前記ディスク・グループにアクセスすることを特徴とするディスクシステム。
【請求項１０】
請求項７記載のディスクシステムであって、
前記第２のメモリは、各ディスク・グループに関するエントリであって、それぞれが使用可能ステータス情報を含むエントリを収めたテーブルとして構成されることを特徴とするディスクシステム。
【請求項１１】
データ・アクセスのための方法であって、
複数のディスク・ドライブを１ないしは複数からなるディスク・グループであって、それぞれが１ないしは複数の前記ディスク・ドライブを包含する１ないしは複数のディスク・グループにグループ化するステップと、
前記１ないしは複数の論理ボリュームのそれぞれは、前記ディスク・グループのそれぞれの１ないしは複数のディスク・ドライブを構成し、前記ディスク・グループの中の第１の論理ボリュームはプライマリ・ボリュームとなり、前記１ないしは複数の論理ボリュームの残りは１ないしは複数のセカンダリ・ボリュームとなり、それにおいて前記プライマリ・ボリュームに書き込まれるデータは、前記セカンダリ・ボリュームにも書き込まれるとする、各ディスク・グループを１ないしは複数の論理ボリュームに組織化するステップと、
前記プライマリ・ボリュームの使用不可能を検出するステップと、
前記検出に応答し、前記プライマリ・ボリュームが属する前記ディスク・グループを識別し、前記プライマリボリュームに対するフェイルオーバ・プライマリ・ボリュームの候補として前記ディスク・グループに配置されるセカンダリ・ボリュームを除外し、前記セカンダリ・ボリュームの１つをフェイルオーバ・プライマリ・ボリュームとして指定するステップと、
前記データを前記フェイルオーバ・プライマリ・ボリュームに書き込むステップと、を有することを特徴とするデータ・アクセス方法。
【請求項１２】
請求項１１記載のデータ・アクセス方法であって、前記論理ボリュームは、ＲＡＩＤレベル３またはレベル５の定義に従って組織化されることを特徴とするデータ・アクセス方法。
【請求項１３】
請求項１１記載のデータ・アクセス方法であって、前記組織化するステップは、前記論理ボリュームのそれぞれがいずれのディスク・グループに属するかを識別する第１の情報の作成を含み、前記指定するステップは、前記第１の情報に基づいて前記フェイルオーバ・プライマリ・ボリュームとして指定することを特徴とするデータ・アクセス方法。
【請求項１４】
請求項１１記載のデータ・アクセス方法であって、
前記セカンダリ・ボリュームの１ないしは複数を分離し、１ないしは複数の分離されたボリュームを生成するステップを有し、前記指定するステップは、さらに、前記分離されたボリュームを前記フェイルオーバ・プライマリ・ボリュームの候補から除外することを特徴とするデータ・アクセス方法。
【請求項１５】
請求項１１記載のデータ・アクセス方法であって、
前記ディスク・グループのそれぞれの使用可能性を示す第１の情報を維持するステップを有し、前記検出するステップは、さらにディスク・グループの１つの使用不可能を検出し、前記プライマリ・ボリュームが前記ディスク・グループの前記１つに属するか否かを判断することを特徴とするデータ・アクセス方法。
【請求項１６】
請求項１５記載のデータ・アクセス方法であって、障害の発生したディスク・ドライブを検出し、それに応答して前記第１の情報を修正し、前記障害の発生したディスク・ドライブに関連付けされているディスク・グループが使用不可能であることを示すステップを有することを特徴とするデータ・アクセス方法。
【請求項１７】
請求項１５記載のデータ・アクセス方法であって、さらに、前記ディスク・グループの１つを使用不可能にするメンテナンス要求を受け取り、それに応答して前記第１の情報を修正し、前記ディスク・グループの前記１つが使用不可能であることを示すステップを有することを特徴とするデータ・アクセス方法。
【請求項１８】
ディスクシステムであって、
ホストシステムと通信線を介して接続される入出力ポートと、
複数の論理ボリュームをそれぞれ有する複数のディスク・グループと、
前記入出力ポートを介してホストシステムからのＩ／Ｏ要求を受け取るディスクコントローラとを備え、
前記ディスクコントローラは、データの読み出しまたは書き込みを前記第一のボリュームに対して行い、
前記第一の論理ボリュームが属するディスク・グループとは異なるディスク・グループに属する第二の論理ボリュームに前記データをコピーすることを特徴とするディスクシステム。
【請求項１９】
請求項１８記載のディスクシステムであって、
前記複数の論理ボリュームのうち、第一の論理ボリュームはプライマリ・ボリュームで、第二の論理ボリュームはセカンダリ・ボリュームであって、
前記ディスク・グループは、前記論理ボリュームを構成する複数のディスク・ドライブからなり、前記ディスク・ドライブ各々は、単一のディスク・グループに属することを特徴とするディスクシステム。
【請求項２０】
請求項１８または１９いずれか記載のディスクシステムであって、
ディスクコントローラは、さらに、前記第一の論理ボリュームが属するディスク・グループに属する第二の論理ボリュームに前記データをコピーし、
前記第二の論理ボリュームのいずれかに対し、ホストシステムからのＩ／Ｏ要求に応じて前記データの読出しまたは書き込みを行う場合、前記第一の論理ボリュームが属するディスク・グループとは異なるディスク・グループに属する前記第二のボリュームに対して読出しまたは書き込みを行うことを特徴とするディスクシステム。